(57)【要約】【課題】  外観を簡単に変化させることができ、より綺麗で、より興趣に富み、気分やＴＰＯに応じて楽しめ、使い勝手に優れ、実用的で、構成簡素で、取扱い易く、量産に適し、低廉で、経済的な装身具を提供する。【解決手段】  ネックレスやブレスレットやアンクレット等の装身具であって、少なくとも装身具基体Ａと複数の外装筒体Ｂとを有し、装身具基体Ａの全部或いは一部に、複数の筒体移動区画部Ａ１を設けると共に、筒体移動区画部Ａ１内を摺動可能となるように外装筒体Ｂを外装せしめ、筒体移動区画部Ａ１は、夫々異なる外観を呈する複数の装飾部を一列に配することで構成し、筒体移動区画部Ａ１に於いて、外装筒体Ｂで覆った部分を除いて現出する外観が、外装筒体Ｂの摺動によって変化するように構成する。【選択図】図２
0003101571.tif 000002
【実用新案登録請求の範囲】
【請求項１】
ネックレスやブレスレットやアンクレット等の装身具であって、少なくとも装身具基体と複数の外装筒体とを有し、装身具基体の全部或いは一部に、複数の筒体移動区画部を設けると共に、この筒体移動区画部内を摺動可能となるように外装筒体を外装せしめ、筒体移動区画部は、夫々異なる外観を呈する複数の装飾部を一列に配することで構成され、筒体移動区画部に於いて、外装筒体で覆われた部分を除いて現出する外観が、外装筒体の摺動によって変化するように構成したことを特徴とする装身具。
【請求項２】
前記筒体移動区画部は、第１装飾部と第２装飾部とで構成し、外装筒体は、その摺動によって第１装飾部或いは第２装飾部を覆えるような長さに構成したことを特徴とする請求項１記載の装身具。
【請求項３】
前記筒体移動区画部の複数の装飾部は、その材質、色彩、或いは形状等の適宜外観要素を異ならしめることで、夫々異なる外観を呈するように構成したこと特徴とする請求項１または請求項２記載の装身具。
【請求項４】
前記筒体移動区画部の両端に、外装筒体の摺動を阻止可能なストッパー兼用装飾体を配するように構成したこと特徴とする請求項１または請求項２または請求項３記載の装身具。
【考案の詳細な説明】
【技術分野】
【０００１】
本考案は、主に、ネックレスやブレスレットやアンクレット等として使用される装身具であって、特に、その外観を簡単に変化させることが可能で、綺麗で、気分やＴＰＯに応じて楽しめ、興趣に富み、使い勝手に優れ、実用的で、経済的となる装身具に関するものである。
【背景技術】
【０００２】
従来、この種の装身具にあっては、種々のものが提供されており、例えば、特許文献１の装身具用チェーン等がある。
そして、この装身具用チェーンは、例えば、鎖状に連結された複数のリンク部材からなる装身具用チェーンにおいて、そのうちの一部のリング部材の内側に充填剤を充填固化して装飾リンクを形成したものである。
【０００３】
【特許文献１】実用新案登録第３００４９０２号公報
【考案の開示】
【考案が解決しようとする課題】
【０００４】
そして、前記特許文献１に示すような装身具用チェーンにより、金属のリング部材またはコマ部材に充填剤による装飾が施せ、ある程度色彩面において変化に富んだものが提供できるようになったが、この特許文献１の装身具用チェーンとは全く別の視点から、より綺麗で、より興趣に富んだ装身具を提供できるようにすべく本考案が開発された。
すなわち、その外観を簡単に変化させることが可能となるような工夫を施して、より綺麗で、より興趣に富み、気分やＴＰＯに応じて楽しめ、使い勝手に優れ、実用的で、経済的となる装身具を提供できるようにした。
【課題を解決するための手段】
【０００５】
しかして、前述の如き課題を達成すべく請求項１記載の装身具にあっては、ネックレスやブレスレットやアンクレット等の装身具であって、少なくとも装身具基体Ａと複数の外装筒体Ｂとを有し、装身具基体Ａの全部或いは一部に、複数の筒体移動区画部Ａ１を設けると共に、この筒体移動区画部Ａ１内を摺動可能となるように外装筒体Ｂを外装せしめ、筒体移動区画部Ａ１は、夫々異なる外観を呈する複数の装飾部を一列に配することで構成され、筒体移動区画部Ａ１に於いて、外装筒体Ｂで覆われた部分を除いて現出する外観が、外装筒体Ｂの摺動によって変化するように構成する手段を採用した。
【０００６】
また、請求項２記載の装身具にあっては、前記筒体移動区画部Ａ１は、第１装飾部２と第２装飾部３とで構成し、外装筒体Ｂは、その摺動によって第１装飾部２或いは第２装飾部３を覆えるような長さに構成する手段を採用した。
【０００７】
更に、請求項３記載の装身具にあっては、前記筒体移動区画部Ａ１の複数の装飾部は、その材質、色彩、或いは形状等の適宜外観要素を異ならしめることで、夫々異なる外観を呈するように構成する手段を採用した。
【０００８】
そして、請求項４記載の装身具にあっては、前記筒体移動区画部Ａ１の両端に、外装筒体Ｂの摺動を阻止可能なストッパー兼用装飾体１を配するように構成する手段を採用した。
【考案の効果】
【０００９】
従って、本考案の請求項１記載の装身具によれば、外装筒体Ｂの摺動で筒体移動区画部Ａ１に於ける外観を簡単に変化させることができ、一つの装身具が、雰囲気の異なる二つ以上の外観に簡単に変化して使用でき、綺麗で、気分やＴＰＯ等に応じて楽しめ、興趣に富み、使い勝手に優れ、実用的な装身具となる。しかも、構成が簡素で、取扱い易く、量産に適し、低廉で、経済的なものとなる。
【００１０】
また、本考案の請求項２記載の装身具によれば、外装筒体Ｂによって第１装飾部２或いは第２装飾部３を選択的に覆えるようになり、装身具の外観の変化を楽しめるようになる。
【００１１】
更に、本考案の請求項３記載の装身具によれば、複数の装飾部の外観を自由に構成できるようになると共に、外装筒体Ｂの摺動時に現出する装飾部をより綺麗に且つ自由に構成できるようになる。
【００１２】
そして、本考案の請求項４記載の装身具によれば、外装筒体Ｂを筒体移動区画部Ａ１内に留めておくことが確実に実現でき、しかも、ストッパー兼用装飾体１自体がアクセントとなって、より綺麗な装身具となる。
【考案を実施するための最良の形態】
【００１３】
以下、本考案を図示例に基づいて説明すると、次の通りである。
本考案の装身具は、主に、ネックレスや、ブレスレットや、アンクレット等として使用される適宜チェーン状（紐状も含む）の装身具であって、例えば、略環状に形成される装身具基体Ａと、この装身具基体Ａに外装可能な略パイプ状に形成される複数の外装筒体Ｂとからなる。
そして、装身具基体Ａの全部（全周に亙って）或いは一部（部分的に）に、複数の筒体移動区画部Ａ１を設けると共に、この筒体移動区画部Ａ１内を摺動可能となるように外装筒体Ｂを外装せしめて構成し、更に、筒体移動区画部Ａ１は、夫々異なる外観を呈する複数の装飾部（例えば、第１装飾部２、第２装飾部３）を一列に配することで構成され、筒体移動区画部Ａ１に於いて、外装筒体Ｂで覆われた部分を除いて現出する部分の外観が、外装筒体Ｂの摺動によって簡単に変化するように構成したものである。
すなわち、外装筒体Ｂの摺動によって、筒体移動区画部Ａ１に於ける外観（及び装身具全体の外観）が大きく変化し、一つの装身具が雰囲気の異なる二つ（或いは二つ以上）の外観に変化可能となるよう構成されたものである。
【実施例】
【００１４】
前記装身具基体Ａは、例えば、貴金属製（或いは、貴金属メッキを施したもの）で、複数の略中空ボール状の鎖素子を適宜連結体で連結したような略ボールチェーンを全体略無端環状に構成したものである。尚、装身具基体Ａは、例えば、略リング状の鎖素子を無端環状に繋いだようなものや、その他の適宜構成、形状の鎖素子を利用したものや、或いは、紐状のもの等を利用することができる。
また、装身具基体Ａは、その一部に適宜止具を介装せしめて、その部分での分離、連結が自在に行えるように構成したものであっても良い。
【００１５】
前記筒体移動区画部Ａ１は、装身具基体Ａの所望位置に複数配されるストッパー兼用装飾体１の間に構成され、例えば、装身具基体Ａの略全周に亙って複数設けたり、或いは、部分的に複数設けられるものである。
【００１６】
また、筒体移動区画部Ａ１は、例えば、図示例のように夫々異なる外観を呈する第１装飾部２と、第２装飾部３とを直列状態にして構成されている。尚、筒体移動区画部Ａ１に於ける夫々異なる外観を呈する装飾部の数は、図示例のように二つでも良いし、或いは、三つ以上でも良い。
【００１７】
更に、筒体移動区画部Ａ１に於ける複数の装飾部（第１装飾部２、第２装飾部３等）は、その材質の違い（例えば、プラチナ、金、銀、白金、ホワイトゴールド等）、色彩の違い（例えば、材質そのものの色、メッキによる色、塗装による色等）、或いは形状による違い（例えば、球体、多面体、或いは、外表面のカット面の形状、数等）等の適宜外観要素を、適宜組合せて（或いは、適宜単独で）異ならしめることにより、夫々異なる外観を呈するように構成されている。
【００１８】
前記ストッパー兼用装飾体１は、例えば、貴金属製（或いは、貴金属メッキを施したもの）で、略中空ボール状の鎖素子によって形成され、前記筒体移動区画部Ａ１の両端部分に配されると共に、筒体移動区画部Ａ１の装飾部の鎖素子より大きくて、外装筒体Ｂの摺動を確実に阻止できるように構成されている。更に、その外表面には、例えば、適宜カット面等の加飾手段が必要に応じて加えられて、外観上の体裁が良くなるように形成される。
【００１９】
前記外装筒体Ｂは、例えば、貴金属製（或いは、貴金属メッキを施したもの）で、略円筒状（或いは角筒状）を呈し、その摺動によって第１装飾部２或いは第２装飾部３を覆えるような長さに構成されている。しかも、重力によって装身具基体Ａをスムーズに摺動できるように形成されている。更に、その外表面には、例えば、適宜カット面や梨地処理等の加飾手段が必要に応じて加えられる。
尚、外装筒体Ｂは、例えば、重力だけでは摺動せず、手指の力を利用することで筒体移動区画部Ａ１を摺動できるように形成すると共に、筒体移動区画部Ａ１の任意の位置に停止させられるように形成しても良い。
【００２０】
ところで、装身具の具体的構成、形状、寸法、材質、装身具基体Ａの具体的構成、形状、寸法、材質、筒体移動区画部Ａ１の具体的構成、形状、寸法、材質、装飾部の具体的構成、形状、寸法、材質、数、ストッパー兼用装飾体１の具体的構成、形状、寸法、材質、配設位置、外表面の具体的加飾手段、第１装飾部２の具体的構成、形状、寸法、材質、外表面の具体的加飾手段、第２装飾部３の具体的構成、形状、寸法、材質、外表面の具体的加飾手段、外装筒体Ｂの具体的構成、形状、寸法、材質、数、外表面の具体的加飾手段等は図示例のもの等に限定されることなく適宜自由に設定、変更できるものである。
【００２１】
本考案の装身具は前述の如く構成されており、次に、この装身具をネックレスとした場合の具体的な使用例について説明すると、先ず、ネックレスを首に掛けると、筒体移動区画部Ａ１にある夫々の外装筒体Ｂが重力によって下方に摺動し、筒体移動区画部Ａ１下部のストッパー兼用装飾体１によって停止する。そして、外装筒体Ｂによって筒体移動区画部Ａ１の第２装飾部３が覆われ、第１装飾部２が現出するようになる。このとき、ストッパー兼用装飾体１、外装筒体Ｂ、第１装飾部２の色調を例えばシルバーで揃えておくと、シックな雰囲気のネックレスとなる。
【００２２】
また、前記ネックレスを、上下逆にして首に掛けると、筒体移動区画部Ａ１にある夫々の外装筒体Ｂが重力によって下方に摺動し、筒体移動区画部Ａ１下部のストッパー兼用装飾体１によって外装筒体Ｂが停止する。そして、外装筒体Ｂによって筒体移動区画部Ａ１の第１装飾部２が覆われ、第２装飾部３が現出するようになる。このとき、第２装飾部３の色調を例えばゴールドにしておくと、華やいだ雰囲気のネックレスとなる。
すなわち、一つの装身具（ネックレス）が、雰囲気の異なる二つ（或いは二つ以上）の外観に簡単に変化して使用でき、気分やＴＰＯ等に応じて使い分けできるものとなる。
【図面の簡単な説明】
【００２３】
【図１】本考案の装身具を例示する正面図である。
【図２】本考案の装身具を例示する一部切欠部分正面図である。
【符号の説明】
【００２４】
Ａ    装身具基体                Ａ１  筒体移動区画部
１    ストッパー兼用装飾体      ２    第１装飾部
３    第２装飾部
Ｂ    外装筒体
【図１】
0003101571.tif 000003
【図２】
0003101571.tif 000004